(57)【要約】【課題】ユーザが、大容量記録媒体に記録されている多数の楽曲の中から所望の楽曲のファイル番号を入力して、再生指示するようになっている据置き型オーディオ装置１０において、ファイル番号を能率的に探せるようにする。【解決手段】メモリカード２６などの記録媒体にテキスト（ｔｘｔ）形式のコンテンツリストファイルをオープンする（Ｓ４３）。該記録媒体内の楽曲ファイルのタグ情報に基づき各楽曲について、その情報収集とファイル番号の付与とを実施し（Ｓ４４，Ｓ４５，Ｓ４８）、オープン中のコンテンツリストファイルに順番に格納する（Ｓ４６）。全楽曲について処理が終了したら、コンテンツリストファイルをクローズする（Ｓ４７正→Ｓ４８）。ユーザは、テキスト形式のコンテンツリストファイルをＰＣ（パーソナルコンピュータ）で開いて、ＰＣの大画面のコンテンツリスト又はＰＣから印刷したコンテンツリストからファイル番号を把握する。【選択図】図２
2009054240.tif 000002
【特許請求の範囲】
【請求項１】
アクセス可能な記録媒体に記録されたコンテンツを処理するコンテンツ処理装置であって、
前記記録媒体に記録された各コンテンツに対して固有の指定子を付与する指定子付与手段、
各コンテンツに対して前記指定子付与手段が付与した指定子を含むコンテンツ情報をリスト化したコンテンツリストを、該コンテンツ処理装置以外の情報処理装置が提示処理可能な形式で作成するコンテンツリスト作成手段、
前記情報処理装置の提示処理結果のコンテンツリストに基づきユーザが入力した指定子を受付ける入力受付手段、及び
前記入力受付手段により受付けられた指定子に対応するコンテンツを前記コンテンツ処理装置における処理対象コンテンツとして指定する指定手段、
を備えることを特徴とするコンテンツ処理装置。
【請求項２】
前記指定手段により指定されたコンテンツにそのパス情報に基づきアクセスして処理する処理手段を備え、
該処理手段がアクセスの基にしている前記パス情報は、前記コンテンツリストから読み出したもの、又は前記コンテンツリストとは別途に記憶しているものであることを特徴としている請求項１記載のコンテンツ処理装置。
【請求項３】
前記コンテンツリスト作成手段により作成したコンテンツリストを記録媒体に格納する格納手段を備え、
前記格納手段により格納されたコンテンツリストは、前記情報処理装置により処理可能であるファイル形式であることを特徴とする請求項１又は２記載のコンテンツ処理装置。
【請求項４】
前記コンテンツリスト作成手段は、各記録媒体ごとに、それに格納されているコンテンツについてのコンテンツリストを作成し、
前記格納手段は、前記コンテンツリスト作成手段が各記録媒体ごとに作成したコンテンツリストを、前記各記録媒体にそれぞれ格納することを特徴とする請求項３に記載のコンテンツ処理装置。
【請求項５】
前記コンテンツリスト作成手段は、複数の記録媒体の全部のコンテンツについてそれらを網羅した１つのコンテンツリストを作成し、
前記格納手段は、前記１つのコンテンツリストを所定の記録媒体に格納することを特徴とする請求項３に記載のコンテンツ処理装置。
【請求項６】
前記所定の記録媒体には、コンテンツリストを格納する記録媒体であることを示す情報が前記コンテンツ処理装置に認識可能に記録され、
前記コンテンツリスト作成手段は、前記所定の記録媒体が前記コンテンツ処理装置により認識された時、コンテンツリストを作成することを特徴とする請求項５記載のコンテンツ処理装置。
【請求項７】
前記コンテンツリスト作成手段は、前記コンテンツ処理装置がアクセス可能である記録媒体が変更されるごとに、又は前記記録媒体に記録されているコンテンツが変更されるごとに前記コンテンツリストを更新し、
前記格納手段は、前記コンテンツリストが更新されるごとに更新後のコンテンツリストを記録媒体に格納することを特徴とする請求項３〜６のいずれかに記載のコンテンツ処理装置。
【請求項８】
前記情報処理装置によるコンテンツリストの処理には、前記情報処理装置の表示器への前記コンテンツリストの表示又は前記情報処理装置からの印刷を含み、
前記情報処理装置は、前記記録媒体に格納されたコンテンツリストを、前記コンテンツ処理装置へのネットワーク接続又は前記情報処理装置におけるローカル接続を介して読み取って、前記情報処理装置の表示器へ表示又は前記情報処理装置から印刷することを特徴とする請求項３〜７のいずれかに記載のコンテンツ処理装置。
【請求項９】
前記情報処理装置は、前記コンテンツ処理装置に接続されたプリンタであり、
前記コンテンツ処理装置は、前記プリンタを駆動する駆動手段と、前記駆動手段を用いて、前記コンテンツリストについて前記プリンタに印刷を指示する印刷指示手段とを備えることを特徴とする請求項１又は２記載のコンテンツ処理装置。
【請求項１０】
前記コンテンツリスト作成手段は、記録媒体ごとに、それに格納されているコンテンツについてのコンテンツリストを作成し、
前記印刷指示手段は、記録媒体ごとのコンテンツリストを個々に前記プリンタに印刷指示することを指示することを特徴とする請求項９に記載のコンテンツ処理装置。
【請求項１１】
前記コンテンツリスト作成手段は、複数の記録媒体に格納されているコンテンツについて１つにまとめたコンテンツリストを作成し、
前記印刷指示手段は、前記１つにまとめたコンテンツリストを前記プリンタに印刷指示することを指示することを特徴とする請求項９に記載のコンテンツ処理装置。
【請求項１２】
アクセス可能な記録媒体に記録されたコンテンツを処理するコンテンツ処理方法であって、
前記記録媒体に記録された各コンテンツに対して固有の指定子を付与する指定子付与ステップ、
各コンテンツに対して前記指定子付与ステップにおいて付与した指定子を含むコンテンツ情報をリスト化したコンテンツリストを、該コンテンツ処理装置以外の情報処理装置が提示処理可能な形式で作成するコンテンツリスト作成ステップ、
前記情報処理装置の提示処理結果のコンテンツリストに基づきユーザが入力した指定子を受付ける入力受付ステップ、及び
前記入力受付ステップにおいて受付けた指定子に対応するコンテンツを前記コンテンツ処理装置における処理対象コンテンツとして指定する指定ステップ、
を備えることを特徴とするコンテンツ処理方法。
【請求項１３】
請求項１〜１１のいずれかに記載のコンテンツ処理装置の各手段としてコンピュータを機能させるためのプログラム。
【発明の詳細な説明】
【技術分野】
【０００１】
本発明は、記録媒体に格納されている楽曲などのコンテンツを再生するコンテンツ処理装置、コンテンツ処理方法及びプログラムに関するものである。
【背景技術】
【０００２】
特許文献１は、１枚のＣＤ−ＲやＣＤ−ＲＷ内にＭＰ３規格で楽曲を格納する場合、格納数が多数となることを指摘するとともに（特許文献１の０００３）、それら多数の楽曲についてのリストを、ＩＤ３タグデータに基づき作成して、ユーザに検索情報としてオーディオ装置の表示器に表示することを開示する（特許文献１の図１の符号操作部１３、図５及び００１８）。
【特許文献１】特開２００２−７４９１１号公報
【発明の開示】
【発明が解決しようとする課題】
【０００３】
ユーザが、オーディオ装置において多数の楽曲の中から所望の楽曲を再生対象として指定する場合、各楽曲に割り当てたファイル番号などの固有の指定子をリモコンから指定することが便利である。しかしながら、楽曲数が多数である場合には、ユーザは、再生希望の楽曲のファイル番号が何であるかを覚えておらず、ファイル番号順にイントロ再生して、所望の楽曲のイントロがスピーカから流れた時に、その楽曲の再生を指示したり、あるいは、ファイル番号付き楽曲リストを表示器に表示し、表示されたファイル番号をリモコンから入力したりしなければならない。
【０００４】
楽曲数が膨大となる場合、イントロ再生による楽曲の探索は膨大な時間がかかる。特許文献１は、楽曲リストを表示器に表示するものの、オーディオ装置の表示器は、一度に表示できる楽曲数がせいぜい数個と、少なく、楽曲リストの楽曲全部を表示器の表示から知るためには、画面を何度もスクロール又は切替えなければならず、これもイントロ再生と同様に膨大な時間がかかってしまう。特許文献１のオーディオ装置は、楽曲をジャンルなどの項目別に並べ替えした楽曲リストを作成できるようになっているが（特許文献１の図６〜図８）、ユーザ所望の楽曲が項目別並べ替えリストの前の方になる保証はなく、所望の楽曲が表示器に表示されるまでの画面のスクロール又は切替回数の低減は期待できない。
【０００５】
本発明の目的は、ユーザが再生などの処理のためにコンテンツを指定する場合に入力するファイル番号などの指定子をユーザが能率的に把握できるようにしたコンテンツ処理装置、コンテンツ処理方法及びプログラムを提供することである。
【課題を解決するための手段】
【０００６】
本発明によれば、装着、接続又は内蔵などによりコンテンツ処理装置がアクセス可能になっている記録媒体のコンテンツに対して固有の（ユニークな）指定子を付与し、指定子の情報を含むコンテンツリストが作成される。該コンテンツリストは、情報処理装置においてユーザへ提示処理（例：閲覧及び／又は印刷。）可能な形式（例：テキスト形式）であり、情報処理装置（例：パーソナルコンピュータ）は、ユーザへのコンテンツリストの提示性能がコンテンツ処理装置よりも十分に高いものが選択される。コンテンツ処理装置は、情報処理装置におけるコンテンツリストの提示に基づくユーザからの指定子の入力に基づき該指定子に対応付けられているコンテンツに対して所定の処理（例：再生）を実施する。
【０００７】
本発明のコンテンツ処理装置は、アクセス可能な記録媒体に記録されたコンテンツを処理する。該コンテンツ処理装置は次の手段を備えている。
前記記録媒体に記録された各コンテンツに対して固有の指定子を付与する指定子付与手段、
各コンテンツに対して前記指定子付与手段が付与した指定子を含むコンテンツ情報をリスト化したコンテンツリストを、該コンテンツ処理装置以外の情報処理装置が提示処理可能な形式で作成するコンテンツリスト作成手段、
前記情報処理装置の提示処理結果のコンテンツリストに基づきユーザが入力した指定子を受付ける入力受付手段、及び
前記入力受付手段により受付けられた指定子に対応するコンテンツを前記コンテンツ処理装置における処理対象コンテンツとして指定する指定手段。
【０００８】
本発明のコンテンツ処理方法はアクセス可能な記録媒体に記録されたコンテンツを処理する。該コンテンツ処理方法は次のステップを備えている。
前記記録媒体に記録された各コンテンツに対して固有の指定子を付与する指定子付与ステップ、
各コンテンツに対して前記指定子付与ステップにおいて付与した指定子を含むコンテンツ情報をリスト化したコンテンツリストを、該コンテンツ処理装置以外の情報処理装置が提示処理可能な形式で作成するコンテンツリスト作成ステップ、
前記情報処理装置の提示処理結果のコンテンツリストに基づきユーザが入力した指定子を受付ける入力受付ステップ、及び
前記入力受付ステップにおいて受付けた指定子に対応するコンテンツを前記コンテンツ処理装置における処理対象コンテンツとして指定する指定ステップ。
【０００９】
本発明のプログラムは、前述のコンテンツ処理装置の各手段としてコンピュータを機能させる、
【発明の効果】
【００１０】
本発明によれば、コンテンツ処理装置がアクセス可能にしている記録媒体に格納されているコンテンツについてのコンテンツリストが、各コンテンツに固有の指定子の情報を含むとともに、情報処理装置（例：パーソナルコンピュータ）が提示処理できる形式で作成されていて、該情報処理装置によるコンテンツリストの提示処理によりコンテンツリストの情報が情報処理装置においてユーザに提示できるようになっている。こうして、ユーザは、全体のコンテンツ数が膨大になる場合にも、情報処理装置による十分に高い提示処理のコンテンツリストに基づき所望のコンテンツについての指定子を能率的に把握して、該コンテンツに係る処理を効率的に指示することができるようになる。
【発明を実施するための最良の形態】
【００１１】
図１は据置き型オーディオ装置１０の概略構成図である。表示部１２は、据置き型オーディオ装置１０の前面パネルに配備され、システムマイコン１１からの入力データに基づき少なくともテキストを表示するものであり、画像も表示できるものもある。操作部１３は、据置き型オーディオ装置１０の本体及びリモコンに配備され、ユーザが操作したキーの情報がシステムマイコン１１へ送られる。
【００１２】
ＣＤメカ部１４は、ＣＤを装填され、装填中のＣＤに対してシステムマイコン１１からの制御信号により指示された部位にアクセスして、該部位から読み出したデータをＤＳＰ１６へ送る。内蔵ＨＤＤ／メモリ１５（据置き型オーディオ装置１０に内蔵されたハードディスクドライブ又はメモリなどの記録媒体）１５は、楽曲をＭＰ３やＷＭＡ等の圧縮形式などのファイルで記憶し、システムマイコン１１からの制御信号により指示されたファイルにアクセスして、読み出したデータをＤＳＰ１６へ送る。
【００１３】
メモリカードスロット２１、ＵＳＢコントローラ２２及びＵＳＢコントローラ２３は、それぞれメモリカード（例：ＳＤカード）２６、ＵＳＢメモリ２７及びＨＤＤ／ＤＡＰ（外付けＨＤＤ装置又はデジタルオーディオプレーヤ）２８を適宜、装着又は接続されて、それらから読み出したデジタルデータをＤＳＰ１６へ送る。メモリカード２６、ＵＳＢメモリ２７及びＨＤＤ／ＤＡＰ２８にも、楽曲データがＭＰ３などの圧縮形式のファイルで書込まれている。
【００１４】
ＤＳＰ１６は、ＣＤメカ部１４、内蔵ＨＤＤ／メモリ１５、メモリカード２６、ＵＳＢメモリ２７又はＨＤＤ／ＤＡＰ２８からのデジタルデータを復号して、デジタルオーディオ信号を生成する。ＤＡＣ３２はＤＳＰ１６からのデジタルオーディオ信号をアナログオーディオ信号へ変換し、該アナログオーディオ信号は、アンプ部３３において増幅されてから、スピーカ３４へ送られて、再生音としてスピーカ３４から出力される。
【００１５】
図２はコンテンツリストファイル作成方法４０のフローチャートである。コンテンツファイルとコンテンツリストファイルとは明確に区別される。コンテンツファイルとは、具体的には、ＭＰ３やＷＭＡなどの圧縮形式を含む楽曲ファイルである。コンテンツリストファイルは、コンテンツリストを収めたファイルである。コンテンツリストファイル作成方法４０は、据置き型オーディオ装置１０にプログラムとして実装されて、実行される。
【００１６】
該コンテンツリストファイル作成方法４０では、据置き型オーディオ装置１０がアクセス可能としている各記録媒体に格納されているコンテンツについてのコンテンツリストファイルを、（ａ）該記録媒体に格納する場合と、（ｂ）設定された所定の記録媒体に格納する場合とがある。（ａ）はＳ４３の「同記録媒体」に対応し、（ｂ）はＳ４３の「所定の記録媒体」に対応する。（ａ）の場合は、各記録媒体ごとにコンテンツリストファイルが作成されるのに対し、（ｂ）の場合には、全記録媒体の全楽曲を網羅した１つのコンテンツリストファイルが所定記録媒体内に作成される。
【００１７】
Ｓ４１では、リスト作成を開始すべきか否かを判定し、判定が否であるならば、コンテンツリストファイル作成方法４０を直ちに終了し、判定が正であれば、Ｓ４２へ進む。コンテンツリスト作成の開始は、例えばユーザが操作部１３からリスト作成を指示した時や、後述のコンテンツリストファイル更新方法６０（図５）におけるＳ６５，Ｓ６６の実行時である。
【００１８】
Ｓ４２では、据置き型オーディオ装置１０がアクセス可能とする内蔵ＨＤＤ／メモリ１５などの記録媒体に管理可能なコンテンツファイルが有るか否かを判定し、判定が正であれば、Ｓ４３へ進み、否であれば、コンテンツリストファイル作成方法４０を終了する。説明の便宜上、Ｓ４２の正判定の基になった記録媒体を他の記録媒体と区別するために、適宜、「対象記録媒体」と呼ぶことにする。
【００１９】
Ｓ４３では、対象記録媒体又はそれとは別の所定の記録媒体にコンテンツリストファイルをオープンする。該コンテンツリストファイルは、コンテンツリストを書込むためのファイルである。該コンテンツリストファイルは例えばテキスト形式のファイルであり、ＰＣなどの情報処理装置で該コンテンツリストファイルを開いて、閲覧、印刷自在となっているものである。
【００２０】
Ｓ４４では、対象記録媒体内でコンテンツ情報が未取得になっているコンテンツファイルを探索して、該コンテンツファイルについて、記録媒体名（又はドライブ名）、フォルダ名、ファイル名及びタグ情報などを取得する。各コンテンツについての記録媒体名やフォルダ名はパス情報として使用する。タグ情報には、例えば、アルバム名、楽曲名及びアーティスト名が含まれる。タグ情報は、例えばＭＰ３のファイルの場合、該ファイルに含まれるＩＤ３タグから入手できる。
【００２１】
Ｓ４５では、コンテンツファイルに対応付ける指定子を生成する。該指定子はコンテンツに固有のものであり、具体的には後述の図３及び図４のファイル番号である。ファイル番号は、据置き型オーディオ装置１０が現在アクセス可能としているコンテンツファイルに対して１から順番に付与した連続番号となっている。ファイル番号は、ユーザが据置き型オーディオ装置１０において所望のコンテンツ（据置き型オーディオ装置１０では該コンテンツは楽曲）を再生しようとする場合に、操作部１３における入力する数値として使用される。
【００２２】
Ｓ４６では、コンテンツについてＳ４４で取得した情報とＳ４５で生成した指定子とに係る文字コードの最適化を行って、現在、オープン中のコンテンツリストファイルに出力する。ここでいう「文字コードの最適化」とは、コンテンツリストをＰＣ（パーソナルコンピュータ）などで開いて、ＰＣのディスプレイに表示した場合に、画面のコンテンツリストの各属性に係る各縦列が整列されて表示されるように、適宜、データ間にタグやスペースを挿入する処理のことである。
【００２３】
Ｓ４７では、対象記録媒体内の全部のコンテンツファイルについてそのコンテンツ情報をコンテンツリスト内に収めたか否かを判定し、判定が正であれば、Ｓ４９へ進み、否であれば、Ｓ４８へ進む。Ｓ４８では、指定子を１だけインクリメントして、Ｓ４４へ戻る。Ｓ４９では、コンテンツファイルをクローズして、コンテンツリストファイル作成方法４０を終了する。
【００２４】
図３及び図４はコンテンツリストファイル作成方法４０によりそれぞれ記録媒体別に及び全記録媒体に共通に作成したコンテンツファイルをＰＣの画面に表示した場合の表示例である。図３に係るコンテンツリストは記録媒体別コンテンツリストの内、例えば内蔵ＨＤＤ／メモリ１５のコンテンツリストである。図４に係る所定ディスクとは、後述のコンテンツリストファイル更新方法６０（図５）のＳ６４で説明するリスト専用の記録媒体である。
【００２５】
図３及び図４のコンテンツリストを表示器に表示するＰＣはＬＡＮ（Local Area Network）やＵＳＢ（Universal Serial Bus）により据置き型オーディオ装置１０へ接続され、ユーザは、据置き型オーディオ装置１０へローカル接続されている内蔵ＨＤＤ／メモリ１５、メモリカード２６、ＵＳＢメモリ２７又はＨＤＤ／ＤＡＰ２８内のコンテンツリストファイルにＰＣからネットワークを介してアクセス自在になっている。メモリカード２６などの据置き型オーディオ装置１０に着脱自在の記録媒体に格納したコンテンツリストファイルの場合には、ＰＣの表示器に図３及び図４のコンテンツリストを表示するためには、ネットワークを利用する代わりに、該記録媒体を据置き型オーディオ装置１０から外して、ＰＣの対応ドライブなどへ装着して、それらの記録媒体のコンテンツリストファイルをＰＣに直接読み込ませてもよい。
【００２６】
なお、コンテンツリストファイルは、ＰＣでも読み込みができるように、例えば、テキスト形式ファイル（○○○．ｔｘｔ）で作成されている。コンテンツリストファイル作成方法４０では、説明しなかったが、コンテンツリストファイルには、最初の楽曲情報の書き込みに先立ち、属性としての各列の項目名が書込まれる。項目名は、図３及び図４の例では、Ｆｉｌｅ  Ｎｏ．（ファイルＮｏ．）、Ｆｉｌｅ  Ｎａｍｅ（ファイル名）、Ｆｏｌｄｅｒ  Ｐａｔｈ（フォルダパス）、Ａｌｂｕｍ（アルバム名）、Ｔｉｔｌｅ（楽曲名）及びＡｒｔｉｓｔ（アーティスト名）となっている。
【００２７】
Ｆｏｌｄｅｒ  Ｐａｔｈ（フォルダパス）は各コンテンツへアクセスする場合に使用するパス情報となる。パス情報について、図３のコンテンツリストは記録媒体別となっているので、各コンテンツのパス情報は各記録媒体の最上位のフォルダ名から始まっているが、図４のコンテンツリストは、全記録媒体の全コンテンツリストについて１つにまとめたコンテンツリストを所定の記録媒体に格納したものとなっているので、各コンテンツのパス情報は、該コンテンツが格納されている記録媒体名（ドライブ名）を示すために、記録媒体名（ドライブ名）から始まっている。
【００２８】
テキスト形式のコンテンツリストファイルの作成では、コンテンツリストファイル作成方法４０のＳ４５における文字コードの最適化により、コンテンツリストにおける横方向のデータ間には適宜スペース又はタグが挿入され、結果、ＰＣ画面においてコンテンツリストの各列のデータはまっすぐに整列している。図３及び図４のコンテンツリストは紙面の都合上、一部しか記載していないが、ユーザは、ＰＣのキーボードのスクロールキーやテキストファイル編集ソフトにおける画面右端のスクロールバーに対するマウス操作や、さらには、テキストファイル編集ソフトにおけるショートカットキー設定により画面を前後又はジャンプさせて、大画面のＰＣ画面をコンテンツリストの任意の部位のものへ能率的に切り替えることができる。なお、該テキストファイルは、ＰＣにおいて編集することが可能であり、ユーザは、テキストファイル編集ソフトを用いて、コンテンツリストにおける欠落情報部分を適宜補充したり、記載済み部分を自分の好みの記載に適宜変更したりすることができ、かつ編集後の内容を記録媒体に保存することができる。
【００２９】
ユーザは、据置き型オーディオ装置１０の表示部１２よりはるかに大画面のＰＣの画面表示に基づき、内蔵ＨＤＤ／メモリ１５などに格納されているコンテンツについての情報を知得することができる。ユーザは、さらに、ＰＣにローカル又はネットワーク接続されているプリンタにおいてコンテンツリストに係るテキストファイルを印刷することができる。ユーザは、コンテンツリストの印刷結果を見て、内蔵ＨＤＤ／メモリ１５などにはどのようなコンテンツが格納されているかを能率的に把握することができる。
【００３０】
図３及び図４に示すように、コンテンツリストには、各コンテンツに対応付けてファイルＮｏ．が記載されている。ユーザは、コンテンツを再生しようとする場合には、該コンテンツリストにおいて再生希望のコンテンツに対応付けられているファイルＮｏ．を操作部１３において入力する。システムマイコン１１は、入力されたファイルＮｏ．に対応付けられているフォルダパスに係るコンテンツファイルを読み出す指示信号を内蔵ＨＤＤ／メモリ１５、メモリカード２６、ＵＳＢメモリ２７又はＨＤＤ／ＤＡＰ２８へ送り、読み出されたコンテンツファイルに係るコンテンツの再生音がスピーカ３４より出力される。
【００３１】
据置き型オーディオ装置１０は、該コンテンツファイルにアクセスするために、コンテンツリストファイル作成方法４０におけるテキストファイルの作成に並行して、図３及び図４のファイルＮｏ．とフォルダパスとの対応付け情報をＲＡＭ（図示せず。Random Access Memory）に作成し、保持する。そして、ユーザが操作部１３においてファイルＮｏ．を入力すると、ＲＡＭの対応付け情報に基づきファイルＮｏ．に対応するフォルダパスを検出し、検出したフォルダパスのコンテンツファイルへアクセスする。据置き型オーディオ装置１０は、ＲＡＭにおけるファイルＮｏ．とフォルダパスとの対応付け情報を利用する代わりに、記録媒体内のコンテンツリストファイルを読み出して、該コンテンツリストファイルに含まれるファイルＮｏ．とフォルダパスとの対応付け情報を利用することもできる。
【００３２】
図５はコンテンツリストファイル更新方法６０のフローチャートである。コンテンツリストファイル更新方法６０では、据置き型オーディオ装置１０がアクセス可能に接続されている全記録媒体の全コンテンツについてそれらを網羅した１個のコンテンツリストファイルを作成し、該コンテンツリストファイルは、アクセス可能な記録媒体について変更があるごとに更新される。該コンテンツリストファイルに係るコンテンツリストは図４のものである。
【００３３】
Ｓ６１では、記録媒体の新規接続を検知したか否かを判定し、判定が正になるまで、Ｓ６１の判定を繰り返し、判定が正になりしだい、Ｓ６２へ進む。説明の便宜上、今回、新規接続が検知された記録媒体を以降、適宜「記録媒体Ａ」と呼ぶことにする。Ｓ６２では、接続中の他の記録媒体、すなわち記録媒体Ａ以外で接続中の記録媒体にコンテンツリストが有るか否かを判定し、判定が正であれば、Ｓ６３へ進み、否であれば、Ｓ６４へ進む。説明の便宜上、Ｓ６２でコンテンツリスト有りと判定された記録媒体を「記録媒体Ｂ」と呼ぶことにする。Ｓ６３では、記録媒体Ａに格納されている全部のコンテンツについての情報を記録媒体Ｂ内のコンテンツリストに追加する。具体的には、記録媒体Ｂにおけるコンテンツリストファイルが、記録媒体Ａのコンテンツについてのコンテンツ情報を含むように、該コンテンツリストファイルの内容を更新する。Ｓ６３の実行後、コンテンツリストファイル更新方法６０を終了する。
【００３４】
Ｓ６４では、記録媒体Ａはコンテンツリスト専用の記録媒体であるか否かを判定し、判定が正であれば、Ｓ６５へ進み、否であれば、Ｓ６６へ進む。コンテンツリスト専用の記録媒体とは、据置き型オーディオ装置１０がアクセス可能になっている全記録媒体における全コンテンツについてのコンテンツリストを格納する記録媒体として据置き型オーディオ装置１０においてあらかじめ設定してあるものである。据置き型オーディオ装置１０は例えば所定のメモリカード２６をコンテンツリスト専用の記録媒体に設定することができる。該メモリカード２６は、通常、コンテンツリストファイルだけでなく、多数のコンテンツファイル（具体的には楽曲ファイル）を格納してもよい。該メモリカード２６は、例えば、コンテンツリストファイルを格納する特定名のフォルダをコンテンツリスト専用の記録媒体としての設定時に作成される。Ｓ６４では、記録媒体Ａが該特定名のフォルダを有しているか否かにより該記録媒体Ａがコンテンツリスト専用の記録媒体であるか否かを判定する。
【００３５】
Ｓ６５では、据置き型オーディオ装置１０が現在アクセス自在になっている全記録媒体の全コンテンツについて１つにまとめたコンテンツリストを作成し、これを記録媒体Ａに格納する。Ｓ６６では、据置き型オーディオ装置１０が現在アクセス自在になっている全記録媒体の全コンテンツについて１つにまとめたコンテンツリストを作成し、これを所定の記録媒体（以下、説明の便宜上、該記録媒体を適宜「記録媒体Ｃ」と呼ぶ。）に格納する。記録媒体Ｃは、例えば、据置き型オーディオ装置１０に内蔵されているＨＤＤ／メモリ１５などコンテンツリストを記録することが設定されている記録媒体や、直近の所定期間において再生したコンテンツを最も多く有している記録媒体、直近の所定期間においてアクセス数（同一の記録媒体から連続してコンテンツを再生する場合には、２番目以降のコンテンツの再生に対して、該記録媒体のアクセス数は増大することなく、１を維持する。）が最大の記録媒体、又は空き容量の最大となっている記録媒体である。
【００３６】
Ｓ６５においては、据置き型オーディオ装置１０が現在アクセス自在になっている全記録媒体の楽曲についての情報をまとめた１つのコンテンツリストを作成し、これを記録媒体Ａに格納することとしたが、複数の記録媒体の各々についての各コンテンツリストの全部を記録媒体Ａに格納してもよい。
【００３７】
図６は据置き型オーディオ装置１０からのコンテンツリストの直接プリント方法８０のフローチャートである。直接プリント方法８０では、コンテンツリストは、ＰＣにおいてユーザ閲覧用に表示されたり、印刷されたりすることに代えて、据置き型オーディオ装置１０からプリンタに直接印刷できるようになっている。この場合、据置き型オーディオ装置１０はプリンタドライバを実装し、さらに、プリンタが据置き型オーディオ装置１０にネットワーク又はローカルで接続されている。
【００３８】
Ｓ８１では、プリンタ出力開始すべきか否かを判定し、判定が正であれば、Ｓ８２へ進み、否であれば、直接プリント方法８０を直ちに終了する。据置き型オーディオ装置１０からのコンテンツリストのプリンタ出力は、例えばユーザが操作部１３よりコンテンツリストの印刷を指示することにより開始される。Ｓ８２〜Ｓ８７は、図２のコンテンツリストファイル作成方法４０のＳ４２，Ｓ４４〜Ｓ４８にそれぞれ対応する。コンテンツリストファイル作成方法４０のＳ４２，Ｓ４４〜Ｓ４８では、各コンテンツについての指定子付き情報をコンテンツリストファイルへ出力していたのに対し、直接プリント方法８０のＳ８２〜Ｓ８７では、各コンテンツについての指定子付き情報をプリンタドライバ、すなわちプリンタへ出力している。
【００３９】
Ｓ８２では、据置き型オーディオ装置１０からアクセス可能になっている記録媒体に管理可能になっているコンテンツファイルが有るか否かを判定し、判定が正であれば、Ｓ８３へ進み、否であれば、直接プリント方法８０を終了する。Ｓ８３では、情報を未取得になっている１つのコンテンツファイルについてその情報（例：図３及び図４に例示する記録媒体名、フォルダ名及びタグ情報など）を取得する。
【００４０】
Ｓ８４では、コンテンツファイルに対応付ける指定子を設定する。Ｓ８５では、Ｓ８３で取得した情報とＳ８４で設定した指定子との文字コードを最適化してから、プリンタドライバに出力する。これにより、据置き型オーディオ装置１０へ接続されているプリンタから図３又は図４のコンテンツリストの１行分が出力される。
【００４１】
Ｓ８６では、全てのコンテンツファイルについてＳ８５の出力が終了したか否かを判定し、判定が正であれば、直接プリント方法８０を終了し、判定が否であれば、Ｓ８７へ進む。Ｓ８７では、指定子を１つインクリメントしてから、Ｓ８３へ戻る。
【００４２】
図７はコンテンツ処理装置１００のブロック図である。前述の据置き型オーディオ装置１０はコンテンツ処理装置１００の具体例である。コンテンツ処理装置１００が扱うコンテンツは、楽曲などのオーディオコンテンツに限定されず、ビデオなど、再生対象になり得るすべてのコンテンツを含むものとする。コンテンツ処理装置１００は、また、据置き型に限定されず、携帯型であってもよい。コンテンツ処理装置１００は指定子付与手段１０１、コンテンツリスト作成手段１０２、指定子入力受付手段１０３及び指定手段１０４を備える。コンテンツ処理装置１００は、さらに、処理手段１０７、格納手段１０８、駆動手段１０９及び印刷指示手段１１０を備えることができる。コンテンツ処理装置１００は、アクセス可能な記録媒体１１３に記録されたコンテンツを処理する。コンテンツの処理とは、例えば、コンテンツの選択又は選択されたコンテンツを再生する処理である。
【００４３】
指定子付与手段１０１は、記録媒体１１３に記録された各コンテンツに対して固有の（ユニークな）指定子を付与する。コンテンツリスト作成手段１０２は、各コンテンツに対して指定子付与手段１０１が付与した指定子を含むコンテンツ情報をリスト化したコンテンツリスト１１４を、該コンテンツ処理装置１００以外の情報処理装置１１５が提示処理可能な形式で作成する。
【００４４】
指定子入力受付手段１０３は、情報処理装置１１５の提示処理結果のコンテンツリストに基づきユーザが入力した指定子を受付ける。指定手段１０４は、指定子入力受付手段１０３により受付けられた指定子に対応するコンテンツをコンテンツ処理装置１００における処理対象コンテンツとして指定する。
【００４５】
コンテンツリスト１１４の具体例は図３及び図４に示したものである。図３及び図４におけるファイル番号は、指定子の一例であり、全記録媒体の全コンテンツに対して１からの連番で付与されている。指定子は、連番に限定されないし、数値にも限定されない。指定手段１０４における処理対象コンテンツとは例えば再生対象コンテンツである。記録媒体１１３は、典型的には複数であるが、１つであってもよい。記録媒体１１３の具体例は、図１の内蔵ＨＤＤ／メモリ１５、メモリカード２６、ＵＳＢメモリ２７又はＨＤＤ／ＤＡＰ２８などである。
【００４６】
情報処理装置１１５の具体例は、典型的には、ＰＣ（パーソナルコンピュータ）やプリンタである。ＰＣなどの情報処理装置１１５は通常、コンテンツ処理装置１００の表示器より大型の表示器を装備している。プリンタは、ＰＣにローカル接続されているもの、コンテンツ処理装置１００及び情報処理装置１１５へ同一のネットワークに接続されているもの、コンテンツ処理装置１００へローカル接続されているものであってよい。ネットワークは、ＬＡＮケーブルによる接続に限定されず、無線ＬＡＮによる接続であってもよい。
【００４７】
コンテンツリスト１１４を、該コンテンツ処理装置１００以外の情報処理装置１１５が提示処理可能な形式とは、例えば、コンテンツリストファイルのファイル形式をテキスト形式、ＨＴＭＬ（HyperText Markup Language）形式、ＸＭＬ（Extensible Markup Language）形式、又はＰＤＦ（Portable Document Format）形式などにすることである。情報処理装置１１５としてのＰＣが所定のワープロソフトや表計算ソフトをインストール済みとしている場合には、ファイル形式としてそれら所定のファイル形式を採用することができる。
【００４８】
記録媒体１１３の容量大型化に伴い、コンテンツリスト１１４に掲載されるコンテンツは膨大となり、コンテンツリスト１１４のサイズも増大する。しかしながら、ユーザは、コンテンツ処理装置１００の表示器に代えて、情報処理装置１１５においてその表示器から又は印刷物としてコンテンツリスト１１４を見ることにより、膨大な指定子付きコンテンツ情報を能率的に見て、所望のコンテンツに付与されている指定子を能率的に知ることができる。
【００４９】
好ましくは、コンテンツ処理装置１００は処理手段１０７をさらに備える。処理手段１０７は、指定手段１０４により指定されたコンテンツにそのパス情報に基づきアクセスして処理する。処理手段１０７がアクセスの基にしているパス情報は、コンテンツリスト１１４から読み出したもの、又はコンテンツリスト１１４とは別途に記憶しているものである。例えば、コンテンツリスト作成手段１０２によるコンテンツリスト１１４の作成に並行して、コンテンツリスト１１４からパス情報−コンテンツの対応付け情報を抽出し、コンテンツ処理装置１００の電源オンの継続期間中は、ＲＡＭなどの記録媒体に保持しておけば、ユーザが再生のために指定子を指定した際には、コンテンツファイルを開いたりすることなく、指定子に対応付けられているパス情報を迅速に検出することができる。
【００５０】
好ましくは、コンテンツ処理装置１００はさらに格納手段１０８を備える。格納手段１０８は、コンテンツリスト作成手段１０２により作成したコンテンツリスト１１４を記録媒体１１３に格納する。格納手段１０８により格納されたコンテンツリスト１１４は、情報処理装置１１５により処理可能であるファイル形式である。
【００５１】
コンテンツリスト作成手段１０２は、各記録媒体１１３ごとに、それに格納されているコンテンツについてのコンテンツリスト１１４を作成してもよいし、複数の記録媒体１１３の全部のコンテンツについてそれらを網羅した１つのコンテンツリスト１１４を作成してもよい。前者の場合には、格納手段１０８は、コンテンツリスト作成手段１０２が各記録媒体ごとに作成したコンテンツリスト１１４を、各記録媒体にそれぞれ格納したり、所定の１つの記録媒体にまとめて格納したりする。後者の場合には、格納手段１０８は、所定の１つの記録媒体１１３に格納することが好ましい。所定の１つの記録媒体１１３の具体例は、コンテンツリストファイル更新方法６０（図５）のＳ６３における記録媒体Ｂ、Ｓ６５における記録媒体Ａ又はＳ６６における記録媒体Ｃである。
【００５２】
所定の記録媒体１１３には、コンテンツリスト１１４を格納する記録媒体１１３であることを示す情報（例：コンテンツリスト１１４を格納するフォルダであることを示す所定名のフォルダ）がコンテンツ処理装置１００に認識可能に記録されることができる。コンテンツリスト作成手段１０２は、所定の記録媒体１１３がコンテンツ処理装置１００により認識された時、コンテンツリスト１１４を作成する。
【００５３】
好ましくは、コンテンツリスト作成手段１０２は、コンテンツ処理装置１００がアクセス可能である記録媒体１１３が変更されるごとに、又は記録媒体１１３に記録されているコンテンツが変更されるごとにコンテンツリスト１１４を更新する。格納手段１０８は、コンテンツリストが更新されるごとに更新後のコンテンツリスト１１４を対応の記録媒体１１３に格納する。記録媒体１１３に記録されているコンテンツの変更は、例えば、ユーザが記録媒体１１３内のコンテンツを削除したり、移動したり、追加したりした時に起きる。
【００５４】
情報処理装置１１５によるコンテンツリストの処理には、情報処理装置１１５の表示器へのコンテンツリスト１１４の表示又は情報処理装置１１５からの印刷を含むことができる。そして、情報処理装置１１５は、記録媒体１１３に格納されたコンテンツリスト１１４を、コンテンツ処理装置１００へのネットワーク接続又は情報処理装置１１５におけるローカル接続を介して読み出して、情報処理装置１１５の表示器へ表示又は情報処理装置１１５から印刷する。
【００５５】
コンテンツ処理装置１００は、さらに、駆動手段１０９及び印刷指示手段１１０を備えることができ、情報処理装置１１５をコンテンツ処理装置１００に接続されたプリンタとすることができる。駆動手段１０９はプリンタを駆動する。また、印刷指示手段１１０は、駆動手段１０９を用いて、コンテンツリスト１１４についてプリンタに印刷を指示する。駆動手段１０９は、例えば、コンテンツ処理装置１００に実装されたプリンタドライバであり、コンテンツリスト１１４を、対応するプリンタへの制御コードとして出力する。プリンタドライバは、情報処理装置１１５に予め設定されていてもよく、印刷に用いるプリンタに対応するプリンタドライバをネットワークなどにより取得して設定することとしてもよい。
【００５６】
コンテンツリスト作成手段１０２は、記録媒体１１３ごとに、それに格納されているコンテンツについてのコンテンツリスト１１４を作成し、印刷指示手段１１０は、記録媒体１１３ごとのコンテンツリスト１１４を個々に印刷することをプリンタに指示してもよい。また、コンテンツリスト作成手段１０２は、複数の記録媒体１１３に格納されているコンテンツについて１つにまとめたコンテンツリスト１１４を作成し、印刷指示手段１１０は、１つにまとめたコンテンツリスト１１４を印刷することをプリンタに指示してもよい。
【００５７】
図８はコンテンツ処理方法１３０のフローチャートである。コンテンツ処理方法１３０は、コンテンツ処理装置１００において実施され、アクセス可能な記録媒体１１３に記録されたコンテンツを処理する。
【００５８】
Ｓ１３１では、記録媒体１１３に記録された各コンテンツに対して固有の指定子を付与する。Ｓ１３２では、各コンテンツに対してＳ１３１において付与した指定子を含むコンテンツ情報をリスト化したコンテンツリスト１１４を、該コンテンツ処理装置１００以外の情報処理装置１１５が提示処理可能な形式で作成する。
【００５９】
Ｓ１３３では、情報処理装置１１５の提示処理結果のコンテンツリストに基づきユーザが入力した指定子を受付ける。Ｓ１３４では、入力受付ステップにおいて受付けた指定子に対応するコンテンツをコンテンツ処理装置１００における処理対象コンテンツに指定する。
【００６０】
Ｓ１３１〜Ｓ１３４の処理は、コンテンツ処理装置１００（図７）の指定子付与手段１０１〜指定手段１０４の機能にそれぞれ対応している。したがって、指定子付与手段１０１〜指定手段１０４の機能について述べた具体的態様はそれぞれＳ１３１〜Ｓ１３４の処理についての具体的態様としても適用可能である。コンテンツ処理方法１３０では、また、コンテンツ処理装置１００の処理手段１０７〜印刷指示手段１１０の機能に対応する処理を実行するステップを適宜、追加可能である。処理手段１０７に対応するステップはＳ１３４の後ろに追加する。格納手段１０８に対応するステップは例えばＳ１３２以降の任意の箇所に追加する。駆動手段１０９及び印刷指示手段１１０に対応するステップは、その実行順を印刷指示手段１１０に対応するステップ及び駆動手段１０９に対応するステップとして、例えばＳ１３２とＳ１３３との間に挿入する。
【００６１】
本発明を適用したプログラムは、コンピュータをコンテンツ処理装置１００の各手段として機能させる。本発明を適用した別のプログラムは、コンテンツ処理方法１３０の各ステップをコンピュータに実行させる。
【００６２】
本明細書は様々な発明を開示している。それら発明には、発明の最良の形態の項で説明した各装置及び各方法だけでなく、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【００６３】
【図１】据置き型オーディオ装置の概略構成図である。
【図２】コンテンツリストファイル作成方法のフローチャートである。
【図３】図２のコンテンツリストファイル作成方法により記録媒体別に作成したコンテンツファイルをＰＣの画面に表示した場合の表示例である。
【図４】図２のコンテンツリストファイル作成方法により全記録媒体に共通に作成したコンテンツファイルをＰＣの画面に表示した場合の表示例である。
【図５】コンテンツリストファイル更新方法のフローチャートである。
【図６】直接プリント方法のフローチャートである。
【図７】コンテンツ処理装置のブロック図である。
【図８】コンテンツ処理方法のフローチャートである。
【符号の説明】
【００６４】
１００：コンテンツ処理装置、１０１：指定子付与手段、１０２：コンテンツリスト作成手段、１０３：指定子入力受付手段、１０４：指定手段、１０７：処理手段、１０８：格納手段、１０９：駆動手段、１１０：印刷指示手段、１１３：記録媒体、１１４：コンテンツリスト、１１５：情報処理装置、１３０：コンテンツ処理方法。
【図１】
2009054240.tif 000003
【図２】
2009054240.tif 000004
【図３】
2009054240.tif 000005
【図４】
2009054240.tif 000006
【図５】
2009054240.tif 000007
【図６】
2009054240.tif 000008
【図７】
2009054240.tif 000009
【図８】
2009054240.tif 000010